(57)【要約】【課題】  柱省略した広い連続空間を形成するユニット建物において、継ぎ天井梁同士を強固に接合し、柱省略に起因する強度低下を確実に補強すること。【解決手段】  ユニット建物１において、相隣る建物ユニットのうちの一方側の建物ユニット２０Ａの継ぎ天井梁２１の側から他方側の建物ユニット２０Ｂの継ぎ天井梁２１の側に延在する継ぎ材３１、４１をそれらの継ぎ天井梁２１のウエブとフランジに添設し、建物ユニット２０Ａの継ぎ天井梁２１の側から建物ユニット２０Ｂの継ぎ天井梁２１の側に延在する補強梁５０をそれらの継ぎ天井梁２１に添設し、補強梁５０の一端側を建物ユニット２０Ａの柱まわりに接合し、補強梁５０の他端側を建物ユニット２０Ｂの柱まわりに接合するもの。【選択図】  図４
2007197947.tif 000002
【特許請求の範囲】
【請求項１】
柱と梁を箱形に接合した建物ユニットを隣接設置して構築されるユニット建物において、
相隣る複数の建物ユニットのそれぞれに定めた柱省略コーナー部を柱省略接合部にて互いに突き合せ配置し、
相隣る建物ユニットの柱省略接合部を含む同一面内で該柱省略コーナー部に交差配置されている天井梁を継ぎ天井梁とし、
相隣る建物ユニットのうちの一方側の建物ユニットの継ぎ天井梁の側から他方側の建物ユニットの継ぎ天井梁の側に延在する継ぎ材の垂直板と水平板をそれらの継ぎ天井梁のウエブとフランジに添設し、継ぎ材の一端側を一方側の建物ユニットの継ぎ天井梁に接合し、継ぎ材の他端側を他方側の建物ユニットの継ぎ天井梁に接合し、
相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合することを特徴とするユニット建物。
【請求項２】
前記継ぎ材が前記継ぎ天井梁のウエブとフランジの外面に添設される請求項１に記載のユニット建物。
【請求項３】
前記継ぎ天井梁における前記継ぎ材の水平板が添設されるフランジの内面に、補助継ぎ板を添設し、それらの継ぎ材と補助継ぎ板を該継ぎ天井梁のフランジにボルト接合してなる請求項２に記載のユニット建物。
【請求項４】
前記補強梁を前記継ぎ天井梁に添設される継ぎ材の垂直板の上から該継ぎ天井梁のウエブに添設し、
補強梁のうちで継ぎ材の垂直板に重ならない面と、継ぎ天井梁のウエブとの間に、該継ぎ材の垂直板と同一板厚のスペーサを介装してなる請求項１〜３のいずれかに記載のユニット建物。
【請求項５】
前記補強梁に前記スペーサを溶接してなる請求項４に記載のユニット建物。
【請求項６】
前記継ぎ天井梁の下フランジ側に添設される継ぎ材と、前記補強梁に溶接されるスペーサとを、該継ぎ天井梁の長手方向における同一位置に配置してなる請求項５に記載のユニット建物。
【請求項７】
前記補強梁に前記継ぎ材を溶接してなる請求項１〜６のいずれかに記載のユニット建物。
【請求項８】
前記柱省略接合部を含む同一面内に前記継ぎ天井梁を有するように相隣る建物ユニットの組を２組有し、
一方の組を構成するように相隣る建物ユニットと他方の組を構成するように相隣る建物ユニットとの間に一定の据付間隔を設け、
２組の相隣る建物ユニットに対し前記補強梁を共通にし、該補強梁を２組の相隣る建物ユニットの据付間隔内に配置した請求項１〜７のいずれかに記載のユニット建物。
【発明の詳細な説明】
【技術分野】
【０００１】
本発明はユニット建物に関する。
【背景技術】
【０００２】
ユニット建物として、特許文献１に記載の如く、柱と梁を箱形に接合した建物ユニットを隣接設置して構築されるユニット建物において、相隣る複数の建物ユニットのそれぞれに定めた柱省略コーナー部を柱省略接合部にて互いに突き合せ配置し、相隣る建物ユニットの柱省略接合部を含む同一面内で該柱省略コーナー部に交差配置されている天井梁を継ぎ天井梁とし、相隣る建物ユニットのうちの一方側の建物ユニットの継ぎ天井梁の側から他方側の建物ユニットの継ぎ天井梁の側に延在する継ぎ材の垂直板と水平板をそれらの継ぎ天井梁のウエブとフランジに添設し、継ぎ材の一端側を一方側の建物ユニットの継ぎ天井梁に接合し、継ぎ材の他端側を他方側の建物ユニットの継ぎ天井梁に接合するものがある。柱省略した広い連続空間を形成するユニット建物において、相隣る建物ユニットの継ぎ天井梁の突き合せ端部同士をそれら継ぎ天井梁のウエブとフランジに添設する継ぎ材により接合することにより、継ぎ天井梁同士を簡易に接合できる。
【特許文献１】特開2005-248689
【発明の開示】
【発明が解決しようとする課題】
【０００３】
特許文献１のユニット建物では、継ぎ天井梁の突き合せ端部同士をそれら継ぎ天井梁のウエブとフランジに添設する継ぎ材により接合するものであり、継ぎ天井梁同士の接合強度の向上に限界があり、柱省略したユニット建物の補強効果の向上に困難がある。
【０００４】
本発明の課題は、柱省略した広い連続空間を形成するユニット建物において、継ぎ天井梁同士を強固に接合し、柱省略に起因する強度低下を確実に補強することにある。
【課題を解決するための手段】
【０００５】
請求項１の発明は、柱と梁を箱形に接合した建物ユニットを隣接設置して構築されるユニット建物において、相隣る複数の建物ユニットのそれぞれに定めた柱省略コーナー部を柱省略接合部にて互いに突き合せ配置し、相隣る建物ユニットの柱省略接合部を含む同一面内で該柱省略コーナー部に交差配置されている天井梁を継ぎ天井梁とし、相隣る建物ユニットのうちの一方側の建物ユニットの継ぎ天井梁の側から他方側の建物ユニットの継ぎ天井梁の側に延在する継ぎ材の垂直板と水平板をそれらの継ぎ天井梁のウエブとフランジに添設し、継ぎ材の一端側を一方側の建物ユニットの継ぎ天井梁に接合し、継ぎ材の他端側を他方側の建物ユニットの継ぎ天井梁に接合し、相隣る建物ユニットのうちの一方側の建物ユニットの継ぎ天井梁の側から他方側の建物ユニットの継ぎ天井梁の側に延在する補強梁をそれらの継ぎ天井梁のウエブに添設し、補強梁の一端側を一方側の建物ユニットの柱まわりに接合し、補強梁の他端側を他方側の建物ユニットの柱まわりに接合するようにしたものである。
【０００６】
請求項２の発明は、請求項１の発明において更に、前記継ぎ材が前記継ぎ天井梁のウエブとフランジの外面に添設されるようにしたものである。
【０００７】
請求項３の発明は、請求項２の発明において更に、前記継ぎ天井梁における前記継ぎ材の水平板が添設されるフランジの内面に、補助継ぎ板を添設し、それらの継ぎ材と補助継ぎ板を該継ぎ天井梁のフランジにボルト接合してなるようにしたものである。
【０００８】
請求項４の発明は、請求項１〜３のいずれかの発明において更に、前記補強梁を前記継ぎ天井梁に添設される継ぎ材の垂直板の上から該継ぎ天井梁のウエブに添設し、補強梁のうちで継ぎ材の垂直板に重ならない面と、継ぎ天井梁のウエブとの間に、該継ぎ材の垂直板と同一板厚のスペーサを介装してなるようにしたものである。
【０００９】
請求項５の発明は、請求項４の発明において更に、前記補強梁に前記スペーサを溶接してなるようにしたものである。
【００１０】
請求項６の発明は、請求項５の発明において更に、前記継ぎ天井梁の下フランジ側に添設される継ぎ材と、前記補強梁に溶接されるスペーサとを、該継ぎ天井梁の長手方向における同一位置に配置してなるようにしたものである。
【００１１】
請求項７の発明は、請求項１〜６のいずれかの発明において更に、前記補強梁に前記継ぎ材を溶接してなるようにしたものである。
【００１２】
請求項８の発明は、請求項１〜７のいずれかの発明において更に、前記柱省略接合部を含む同一面内に前記継ぎ天井梁を有するように相隣る建物ユニットの組を２組有し、一方の組を構成するように相隣る建物ユニットと他方の組を構成するように相隣る建物ユニットとの間に一定の据付間隔を設け、２組の相隣る建物ユニットに対し前記補強梁を共通にし、該補強梁を２組の相隣る建物ユニットの据付間隔内に配置したものである。
【発明の効果】
【００１３】
（請求項１）
(a)継ぎ天井梁同士の接合構造として、(i)継ぎ天井梁同士をそれら継ぎ天井梁のウエブとフランジに添設する継ぎ材により接合する構造と、(ii)継ぎ天井梁同士のそれらの概ね全長に渡ってそれら継ぎ天井梁のウエブに添設する長尺の補強梁により接合する構造とを併用するものであり、継ぎ天井梁同士を強固に接合できる。
【００１４】
（請求項２）
(b)継ぎ材を継ぎ天井梁のウエブとフランジの外面に添設することにより、継ぎ材による継ぎ天井梁同士の接合強度向上効果を増大できる。
【００１５】
（請求項３）
(c)継ぎ天井梁における継ぎ材の水平板が添設されるフランジの内面に、補助継ぎ板を添設し、それらの継ぎ材と補強継ぎ板を該継ぎ天井梁のフランジにボルト接合することにより、継ぎ材による継ぎ天井梁同士の接合強度向上効果を補助継ぎ板の併用により一層増大できる。
【００１６】
（請求項４）
(d)補強梁を継ぎ天井梁に添設される継ぎ材の垂直板の上から該継ぎ天井梁のウエブに添設し、補強梁のうちで継ぎ材の垂直板に重ならない面と、継ぎ天井梁のウエブとの間に、該継ぎ材の垂直板と同一板厚のスペーサを介装することにより、継ぎ天井梁のウエブに継ぎ材と補強梁を強固に添設できる。
【００１７】
（請求項５）
(e)補強梁にスペーサを溶接することにより、補強梁とスペーサの単一部品化により、補強梁とスペーサの取扱性を向上できる。
【００１８】
（請求項６）
(f)継ぎ天井梁の下フランジ側に添設される継ぎ材と、補強梁に溶接されるスペーサとを、該継ぎ天井梁の長手方向における同一位置に配置することにより、継ぎ天井梁の下フランジ側に継ぎ材を添設した後、補強梁を継ぎ天井梁に添設するとき、継ぎ天井梁に溶接したあるスペーサを継ぎ材の上端部に係止させる等により、補強梁の落下を防止して該補強梁を仮置きでき、補強梁の組込作業性を向上できる。
【００１９】
（請求項７）
(g)補強梁に継ぎ材を溶接することに、補強梁と継ぎ材を単一部品化し、補強梁と継ぎ材を継ぎ天井梁に同時に添設でき、補強梁と継ぎ材の組込作業性を向上できる。
【００２０】
（請求項８）
(h)柱省略接合部を含む同一面内に継ぎ天井梁を有するように相隣る建物ユニットの組を２組有し、一方の組を構成するように相隣る建物ユニットと他方の組を構成するように相隣る建物ユニットとの間に一定の据付間隔を設け、２組の相隣る建物ユニットに対し補強梁を共通にし、該補強梁を２組の相隣る建物ユニットの据付間隔内に配置した。従って、２組の相隣る建物ユニットに共通化される補強梁を２組の相隣る建物ユニットの据付間隔を利用して、それらの継ぎ天井梁に添設できる。
【発明を実施するための最良の形態】
【００２１】
図１はユニット建物の一例を示し、（Ａ）は建物ユニットの据付状態を示す模式平面図、（Ｂ）は建物ユニットの補強状態を示す模式平面図、図２は標準建物ユニットを示す斜視図、図３は柱省略建物ユニットを示す斜視図、図４は図１のIV−IV線に沿う断面図、図５は図４のV−V線に沿う矢視図、図６は継ぎ天井梁と継ぎ材を示す斜視図、図７は補強梁を示す正面図、図８は補強梁とスペーサを示し、（Ａ）は溶接状態を示す端面図、（Ｂ）は継ぎ天井梁への添設状態を示す端面図、図９は補強梁と継ぎ材を示し、（Ａ）は補強梁の突出状態を示す端面図、（Ｂ）は補強梁の非突出状態を示す端面図である。
【実施例】
【００２２】
図１は、ユニット建物１の一部を示すものであり、複数の建物ユニット１０を左右上下に隣接して構築されるユニット建物１の一部を、４個の柱省略建物ユニット２０により柱省略した広い連続空間を形成するものである。
【００２３】
建物ユニット１０は、標準的には、図２に示した如く、４本の角鋼管製柱１１と、４本の形鋼製床梁１２と、４本の形鋼製天井梁１３とを箱形に接合した骨組構造体である。建物ユニット１０は、４個のコーナー部で、相交差する床梁１２をジョイントピース１２Ｊにより柱１１の下端部に接続し、相交差する天井梁１３をジョイントピース１３Ｊにより柱１２の上端部に接合して構成される。
【００２４】
柱省略建物ユニット２０は、図３に示す如く、標準建物ユニット１０の４本の柱１１のうちの１本の柱１１を省略したものである。柱省略建物ユニット２０は、床梁１２については、柱省略コーナー部以外の３個のコーナー部で、相交差する床梁１２をジョイントピース１２Ｊにより柱１１の下端部に接合し、柱省略コーナー部で、相交差する床梁１２を一方の床梁１２に設けたエンドプレート１２Ｅと他方の床梁１２に設けたジョイントピース１２Ｋのボルト結合により互いに接合している。柱省略建物ユニット２０は、天井梁１３については、柱省略コーナー部に交差配置される天井梁１３のうち、妻方向に沿う天井梁１３を継ぎ天井梁２１とし、他の天井梁１３を標準天井梁１３とする。標準天井梁１３と柱１１の上端部とはジョイントピース１３Ｊにより接合し、継ぎ天井梁２１と柱１１の上端部とはジョイントピース１３Ｋにより接合し、継ぎ天井梁２１と天井梁１３とは継ぎ天井梁２１に設けたエンドプレート２１Ｅと天井梁１３に設けたジョイントピース１３Ｌのボルト結合により接合している。
【００２５】
柱省略建物ユニット２０は、継ぎ天井梁２１の断面強度を他の標準天井梁１３の断面強度より高くすることができる。継ぎ天井梁２１は、リップ付Ｃ形鋼からなるものとされる。
【００２６】
柱省略建物ユニット２０は、工場組立段階〜現地据付段階における剛性を確保するため、柱省略コーナー部に仮柱２２を着脱自在とする。仮柱２２は、ボルト、ピン等の着脱手段により、床梁１２と継ぎ天井梁２１に着脱自在に結合される。
【００２７】
ユニット建物１にあっては、４個の柱省略建物ユニット２０（２０Ａ〜２０Ｄ）のそれぞれに定めた柱省略コーナー部を柱省略接合部２にて互いに突き合せ配置する。
【００２８】
相対応する柱省略建物ユニット２０Ａと柱省略建物ユニット２０Ｂの間で、両者の柱省略接合部２を含む同一面内でそれらの柱省略コーナー部に交差配置されている天井梁１３を前述の継ぎ天井梁２１とする。
【００２９】
相対応する柱省略建物ユニット２０Ｃと柱省略建物ユニット２０Ｄの間でも、両者の柱省略接合部２を含む同一面内でそれらの柱省略コーナー部に交差配置されている天井梁１３を前述の継ぎ天井梁２１とする。
【００３０】
従って、ユニット建物１は、柱省略接合部２を含む同一面内で継ぎ天井梁２１を有するように相隣る柱省略建物ユニットの組を２組有し、一方の組を構成するように相隣る柱省略建物ユニット２０Ａ及び２０Ｂと、他方の組を構成するように相隣る柱省略建物ユニット２０Ｃ及び２０Ｄとの間に、それらの継ぎ天井梁２１が互いに相対して形成する一定の据付間隔３を設ける。
【００３１】
以下、ユニット建物１において、柱省略建物ユニット２０Ａ〜２０Ｄの継ぎ天井梁２１同士を強固に接合し、柱省略に起因する強度低下を補強する構造について説明する。
【００３２】
(1)図１、図４〜図６に示す如く、柱省略建物ユニット２０Ａの継ぎ天井梁２１の下フランジの側から、柱省略建物ユニット２０Ｂの継ぎ天井梁２１の下フランジの側にＵ字状の継ぎ材３１と両側リップ付き平板状の補助継ぎ板３２を延在する。継ぎ材３１の水平板３１Ａと垂直板３１Ｂと垂直板３１Ｃが両継ぎ天井梁２１の下フランジとウエブ下部と下リップの外面に添設される。補助継ぎ板３２は両継ぎ天井梁２１の下フランジの内面に添設される。
【００３３】
継ぎ材３１、補助継ぎ板３２の一端側で、３本の高力ボルト３３を継ぎ材３１の水平板３１Ａ、補助継ぎ板３２、継ぎ天井梁２１の下フランジのそれぞれに設けたボルト挿通孔に挿通し、高力ボルト３３の挿通端にナット３３Ａを締め付ける。継ぎ材３１、補助継ぎ板３２の他端側でも、３本の高力ボルト３３を継ぎ材３１の水平板３１Ａ、補助継ぎ板３２、継ぎ天井梁２１の下フランジのそれぞれに設けたボルト挿通孔に挿通し、高力ボルト３３の挿通端にナット３３Ａを締め付ける。これにより、継ぎ材３１、補助継ぎ板３２の一端側を柱省略建物ユニット２０Ａの継ぎ天井梁２１に剛接合し、継ぎ材３１、補助継ぎ板３２の他端側を柱省略建物ユニット２０Ｂの継ぎ天井梁２１に剛接合する。本発明の実施において、高力ボルトとしては、トルシア形、六角ボルト形等を採用できる。
【００３４】
(2)図１、図４〜図６に示す如く、柱省略建物ユニット２０Ｃの継ぎ天井梁２１の下フランジの側から、柱省略建物ユニット２０Ｄの継ぎ天井梁２１の下フランジの側にも、上述(1)と同様にして、継ぎ材３１と補助継ぎ板３２を添設し、それら継ぎ材３１と補助継ぎ板３２をそれら柱省略建物ユニット２０Ｃ、２０Ｄの継ぎ天井梁２１に剛接合する。
【００３５】
(3)図１、図４、図５に示す如く、相隣る柱省略建物ユニット２０Ａ及び２０Ｂの組と、相隣る柱省略建物ユニット２０Ｃ及び２０Ｄの組の間の前述した据付間隔３内に、それら２組の柱省略建物ユニット２０Ａ及び２０Ｂと、柱省略建物ユニット２０Ｃ及び２０Ｄに対し共通にされる補助梁５０を挿入して配置する。
【００３６】
補助梁５０は、図７、図８に示す如く、長尺板材からなり、柱省略接合部２の一端側にて相対する柱省略建物ユニット２０Ａ、２０Ｃの継ぎ天井梁２１、２１の据付間隔３から、柱省略接合部２の他方側にて相対する柱省略建物ユニット２０Ｂ、２０Ｄの継ぎ天井梁２１、２１の据付間隔３に渡って設けられる。
【００３７】
補強梁５０は、それら柱省略建物ユニット２０Ａ〜２０Ｄの継ぎ天井梁２１のウエブに添設される。補強梁５０の両端部は、柱省略接合部２の左右の一方側にて相対する２個の柱省略建物ユニット２０Ａ、２０Ｃの各柱１１と、柱省略接合部２の他端側にて相対する２個の柱省略建物ユニット２０Ｂ、２０Ｄの各柱１１のそれぞれに接続される。このとき、補強梁５０の両端部は、高力ボルトを用いた継ぎ天井梁２１、ジョイントピース１３Ｋとの高力ボルト接合を介して柱１１に接続される。補強梁５０の中央部は、図４、図５に示す如く、相対する２個の柱省略建物ユニット２０Ａ、２０Ｃの継ぎ天井梁２１に３本の高力ボルト５１とナット５１Ａにより接合され、相対する２個の柱省略建物ユニット２０Ｂ、２０Ｄの継ぎ天井梁２１に３本の高力ボルト５２とナット５２Ａにより接合される。
【００３８】
このとき、補強梁５０は、前述(1)、(2)により柱省略建物ユニット２０Ａ〜２０Ｄの継ぎ天井梁２１に添設される前述の継ぎ材３１の垂直板３１Ｂの上から該継ぎ天井梁２１のウエブに添設される。補強梁５０のうちで、継ぎ材３１の垂直板３１Ｂに重ならない面と、継ぎ天井梁２１のウエブとの間に、継ぎ材３１の垂直板３１Ｂと同一板厚のスペーサ５３、５４、５５を介装する。スペーサ５３は補強梁５０の両端部に設けられて高力ボルトが挿通され、スペーサ５４は補強梁５０の中央部に設けられて高力ボルト５１、５２が挿通される。本実施例において、スペーサ５３〜５５は、図８に示す如く、補強梁５０に溶接される。
【００３９】
そして、柱省略建物ユニット２０Ａ〜２０Ｄの継ぎ天井梁２１の下フランジに添設される前述の継ぎ材３１と、補強梁５０の中央部に溶接される上述のスペーサ５４とを、継ぎ天井梁２１の長手方向における概ね同一位置に配置する。これによれば、継ぎ天井梁２１の下フランジ側に継ぎ材３１を添設した後、補強梁５０を継ぎ天井梁２１に添設するとき、継ぎ天井梁２１に溶接してあるスペーサ５４を継ぎ材３１の垂直板３１Ｂの上端部に係止させる等により、補強梁５０の落下を防止して該補強梁５０を仮置きできる（図８（Ｂ））。
【００４０】
尚、柱省略建物ユニット２０Ａ〜２０Ｄの継ぎ天井梁２１のウエブに添設される補強梁５０は、梁背の高さを継ぎ天井梁２１のウエブ高さに対して自由に設定でき、それによって補強度合いを調整できる。図４、図５の補強梁５０は、継ぎ天井梁２１のウエブ高さより大きな梁背を有し、継ぎ天井梁２１の上フランジから上方に突出する部分は、柱省略建物ユニット２０Ａ〜２０Ｄの屋根裏又は天井裏に納まるものになる。
【００４１】
(4)図１、図４〜図６に示す如く、柱省略建物ユニット２０Ａの継ぎ天井梁２１の上フランジの側から、柱省略建物ユニット２０Ｂの継ぎ天井梁２１の上フランジの側にＵ字状の継ぎ材４１と両側リップ付き平板状の補助継ぎ板４２を延在する。継ぎ材４１の水平板４１Ａと垂直板４１Ｂと垂直板４１Ｃが両継ぎ天井梁２１の上フランジとウエブ上部と上リップの外面に添設される。補助継ぎ板４２は両継ぎ天井梁２１の上フランジの内面に添設される。
【００４２】
継ぎ材４１、補助継ぎ板４２の一端側で、３本の高力ボルト４３を継ぎ材４１の水平板４１Ａ、補助継ぎ板４２、継ぎ天井梁２１の上フランジのそれぞれに設けたボルト挿通孔に挿通し、高力ボルト４３の挿通端にナット４３Ａを締め付ける。継ぎ材４１、補助継ぎ板４２の他端側でも、３本の高力ボルト４３を継ぎ材４１の水平板４１Ａ、補助継ぎ板４２、継ぎ天井梁２１の上フランジのそれぞれに設けたボルト挿通孔に挿通し、高力ボルト４３の挿通端にナット４３Ａを締め付ける。これにより、継ぎ材４１、補助継ぎ板４２の一端側を柱省略建物ユニット２０Ａの継ぎ天井梁２１に剛接合し、継ぎ材４１、補助継ぎ板４２の他端側を柱省略建物ユニット２０Ｂの継ぎ天井梁２１に剛接合する。
【００４３】
(5)図１、図４〜図６に示す如く、柱省略建物ユニット２０Ｃの継ぎ天井梁２１の上フランジの側から、柱省略建物ユニット２０Ｄの継ぎ天井梁２１の上フランジの側にも、上述(4)と同様にして、継ぎ材４１と補助継ぎ板４２を添設し、それら継ぎ材４１と補助継ぎ板４２をそれら柱省略建物ユニット２０Ｃ、２０Ｄの継ぎ天井梁２１に剛接合する。
【００４４】
尚、図９に示す如く、継ぎ材４１は補強梁５０に予め溶接して用いることもできる。図９（Ａ）は補強梁５０の梁背を継ぎ天井梁２１のウエブ高さより大きく設定したもの、図９（Ｂ）は補強梁５０の梁背を継ぎ天井梁２１のウエブ高さと同一にしたものである。
【００４５】
本実施例によれば以下の作用効果を奏する。
(a)継ぎ天井梁２１同士の接合構造として、(i)継ぎ天井梁２１同士をそれら継ぎ天井梁２１のウエブとフランジに添設する継ぎ材３１、４１により接合する構造と、(ii)継ぎ天井梁２１同士のそれらの概ね全長に渡ってそれら継ぎ天井梁２１のウエブに添設する長尺の補強梁５０により接合する構造とを併用するものであり、継ぎ天井梁２１同士を強固に接合できる。
【００４６】
(b)継ぎ材３１、４１を継ぎ天井梁２１のウエブとフランジの外面に添設することにより、継ぎ材３１、４１による継ぎ天井梁２１同士の接合強度向上効果を増大できる。
【００４７】
(c)継ぎ天井梁２１における継ぎ材３１、４１の水平板３１Ａ、４１Ａが添設されるフランジの内面に、補助継ぎ板３２、４２を添設し、それらの継ぎ材３１、４１と補強継ぎ板を該継ぎ天井梁２１のフランジにボルト接合することにより、継ぎ材３１、４１による継ぎ天井梁２１同士の接合強度向上効果を補助継ぎ板３２、４２の併用により一層増大できる。
【００４８】
(d)補強梁５０を継ぎ天井梁２１に添設される継ぎ材３１の垂直板３１Ｂの上から該継ぎ天井梁２１のウエブに添設し、補強梁５０のうちで継ぎ材３１の垂直板３１Ｂに重ならない面と、継ぎ天井梁２１のウエブとの間に、該継ぎ材３１の垂直板３１Ｂと同一板厚のスペーサ５３〜５５を介装することにより、継ぎ天井梁２１のウエブに継ぎ材３１と補強梁５０を強固に添設できる。
【００４９】
(e)補強梁５０にスペーサ５３〜５５を溶接することにより、補強梁５０とスペーサ５３〜５５の単一部品化により、補強梁５０とスペーサ５３〜５５の取扱性を向上できる。
【００５０】
(f)継ぎ天井梁２１の下フランジ側に添設される継ぎ材３１と、補強梁５０に溶接されるスペーサ５４とを、該継ぎ天井梁２１の長手方向における同一位置に配置することにより、継ぎ天井梁２１の下フランジ側に継ぎ材３１を添設した後、補強梁５０を継ぎ天井梁２１に添設するとき、継ぎ天井梁２１に溶接したあるスペーサ５４を継ぎ材３１の上端部に係止させる等により、補強梁５０の落下を防止して該補強梁５０を仮置きでき、補強梁５０の組込作業性を向上できる。
【００５１】
(g)補強梁５０に継ぎ材４１を溶接することに、補強梁５０と継ぎ材４１を単一部品化し、補強梁５０と継ぎ材４１を継ぎ天井梁２１に同時に添設でき、補強梁５０と継ぎ材４１の組込作業性を向上できる。
【００５２】
(h)柱省略接合部２を含む同一面内に継ぎ天井梁２１を有するように相隣る建物ユニットの組を２組有し、一方の組を構成するように相隣る建物ユニット２０Ａ、２０Ｂと他方の組を構成するように相隣る建物ユニット２０Ｃ、２０Ｄとの間に一定の据付間隔３を設け、２組の相隣る建物ユニットに対し補強梁５０を共通にし、該補強梁５０を２組の相隣る建物ユニットの据付間隔内に配置した。従って、２組の相隣る建物ユニットに共通化される補強梁５０を２組の相隣る建物ユニットの据付間隔３を利用して、それらの継ぎ天井梁２１に添設できる。
【００５３】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００５４】
【図１】図１はユニット建物の一例を示し、（Ａ）は建物ユニットの据付状態を示す模式平面図、（Ｂ）は建物ユニットの補強状態を示す模式平面図である。
【図２】図２は標準建物ユニットを示す斜視図である。
【図３】図３は柱省略建物ユニットを示す斜視図である。
【図４】図４は図１のIV−IV線に沿う断面図である。
【図５】図５は図４のV−V線に沿う矢視図である。
【図６】図６は継ぎ天井梁と継ぎ材を示す斜視図である。
【図７】図７は補強梁を示す正面図である。
【図８】図８は補強梁とスペーサを示し、（Ａ）は溶接状態を示す端面図、（Ｂ）は継ぎ天井梁への添設状態を示す端面図である。
【図９】図９は補強梁と継ぎ材を示し、（Ａ）は補強梁の突出状態を示す端面図、（Ｂ）は補強梁の非突出状態を示す端面図である。
【符号の説明】
【００５５】
１  ユニット建物
２  柱省略接合部
３  据付間隔
１１  柱
１２  床梁
１３  天井梁
２０  柱省略建物ユニット
２１  継ぎ天井梁
３１、４１  継ぎ材
３１Ａ、４１Ａ  水平板
３１Ｂ、３１Ｃ、４１Ｂ、４１Ｃ  垂直板
３２、４２  補助継ぎ板
５０  補強梁
５３〜５５  スペーサ
【図１】
2007197947.tif 000003
【図２】
2007197947.tif 000004
【図３】
2007197947.tif 000005
【図４】
2007197947.tif 000006
【図５】
2007197947.tif 000007
【図６】
2007197947.tif 000008
【図７】
2007197947.tif 000009
【図８】
2007197947.tif 000010
【図９】
2007197947.tif 000011